(57)【要約】【課題】洗浄水によって排泄物をほぼ完全に押し流せるようにした自動排泄物処理装置を提供する。【解決手段】排泄物受容手段１における排泄物受け部１ａの排出口６と対向する箇所に水洗手段７を設け、この水洗手段７から噴射される洗浄水を分散させるための洗浄水分散手段８を備える。水洗手段７は複数の洗浄ノズル孔９と通水口１０とを有し、洗浄水分散手段８は排泄物受け部１ａの周囲を略半円弧状に取り囲むように配設され、且つ水洗手段７の若干前方に臨んで位置する。排泄物受け部１ａの下面側に、先端閉塞の略半円弧状の導水管１２を水洗手段７に対応させて設けると共に送水管１３を配管し、この送水管１３を導水管１２に接続して洗浄水を導入する。水洗手段７及び洗浄水分散手段８により、排泄物受け部１ａの領域全体にわたって洗浄水を流し、排泄物を排出口６に向けて押し流す。【選択図】図２
2007260289.tif 000002
【特許請求の範囲】
【請求項１】
股部に装着して排泄物を受ける排泄物受容手段と、この排泄物受容手段の排出口から吸引された排泄物を収納する汚物タンクとが接続管によって接続された自動排泄物処理装置において、前記排泄物受容手段の排出口と対向する箇所に水洗手段を設け、この水洗手段から噴射される洗浄水を分散させるための洗浄水分散手段を備えていることを特徴とする自動排泄物処理装置。
【請求項２】
前記洗浄水分散手段は、排泄物受容手段の底部の内側に設けられた排泄物受け部の周囲を略半円弧状に取り囲むように配設されていることを特徴とする請求項１に記載の自動排泄物処理装置。
【請求項３】
前記水洗手段は、排泄物受容手段に設けられた排泄物検出センサが排泄物を検出した時に洗浄水が供給されると共に、それ以外の時であっても定期的に洗浄水が供給されることを特徴とする請求項１又は請求項２に記載の自動排泄物処理装置。
【発明の詳細な説明】
【技術分野】
【０００１】
本発明は、自力で歩けない状態でベッドに収容されている例えば病人や怪我人、或いは寝たきり老人等が使用するのに好適な自動排泄物処理装置に関する。
【背景技術】
【０００２】
従来、この種の自動排泄物処理装置は種々の形態や方式のものが提案され、実用化されてきている。自動排泄物処理装置の代表的な構成としては、股部に装着するおむつ本体又は略Ｕ字形のパッド等からなる排泄物受容手段と、排泄物を収納する汚物タンクと、前記排泄物受容手段と汚物タンクとを接続する接続管とを備えている。これに加えて、排泄物吸引手段と、装着人の局部や尻部及び排泄物受容手段内を洗浄するための洗浄水を供給する洗浄水供給手段と、洗浄後に温風を供給する温風供給手段とが併設されているのが一般的である。又、通常前記排泄物受容手段には排泄物を検出するためのセンサが設けられ、このセンサと制御装置とが電気的に接続されている。
【０００３】
上記のような構成の自動排泄物処理装置においては、前記センサが排泄物を検出すると、その検出信号が制御装置に入力され、この制御装置から排泄物吸引手段に信号が出力され、当該排泄物吸引手段が作動して排泄物を吸引する。そして、排泄物受容手段から吸引された排泄物は、接続管を介して汚物タンクまで搬送されて収納される。
【０００４】
例えば特許文献１には、人体の腰臀部に装着される略Ｕ字状の装着具と、排泄物タンクと、洗浄水タンクと、空気・水制御回路部が備えられている制御装置部とから成る自動排泄物処理装置が開示されている。そして、前記装着具は股部に位置する中央部の内側に排泄物を溜めて洗浄・吸引する処理凹部が形成され、この処理凹部の底面の中央には、排泄物吸引口が形成されている。前記処理凹部の端には、排泄物吸引口に向かって水を噴射すると共に、水噴射時以外は空気を送る洗浄ノズル孔が形成され、前記排泄物吸引口を挟んで前記洗浄ノズル孔とは反対側の処理凹部内には人体の前側の股部に向かって水を噴霧すると共に、水噴霧時以外は空気を送るための洗浄ノズル孔が設けられている。
【特許文献１】特開２００２−５８６９２号公報
【発明の開示】
【発明が解決しようとする課題】
【０００５】
上記特許文献１の自動排泄物処理装置によると、２つの洗浄ノズル孔のうち一方の洗浄ノズル孔は、洗浄水を噴霧して人体の局部を洗浄するものであり、他方の洗浄ノズル孔は、人体の臀部の後側に位置して、排泄物を排泄物吸引口に向かって押し流すように高圧の噴流が出るように形成されている。しかしながら、排泄物を押し流すための高圧の噴流は、排泄物吸引口に向かって噴射されるためその流れ方向がある程度限定されてしまう。このため、前記排泄物を溜める処理凹部内の領域全体にわたって高圧の噴流を供給することはできず、排泄物の押し流しが不完全となって処理凹部内に排泄物の一部が残留する虞が生じる。
【０００６】
本発明は、このような従来の自動排泄物処理装置における問題点を解決するためになされ、洗浄水によって排泄物をほぼ完全に押し流せるようにした自動排泄物処理装置を提供することを目的とする。
【課題を解決するための手段】
【０００７】
上記の目的を達成するための手段として、請求項１の発明は、股部に装着して排泄物を受ける排泄物受容手段と、この排泄物受容手段の排出口から吸引された排泄物を収納する汚物タンクとが接続管によって接続された自動排泄物処理装置において、前記排泄物受容手段の排出口と対向する箇所に水洗手段を設け、この水洗手段から噴射される洗浄水を分散させるための洗浄水分散手段を備えていることを特徴とする。
【０００８】
請求項２の発明は、請求項１の自動排泄物処理装置において、前記洗浄水分散手段は、排泄物受容手段の底部の内側に設けられた排泄物受け部の周囲を略半円弧状に取り囲むように配設されていることを特徴とする。
【０００９】
請求項３の発明は、請求項１又は請求項２の自動排泄物処理装置において、前記水洗手段は、排泄物受容手段に設けられた排泄物検出センサが排泄物を検出した時に洗浄水が供給されると共に、それ以外の時であっても定期的に洗浄水が供給されることを特徴とする。
【発明の効果】
【００１０】
上記請求項１の発明によれば、股部に装着して排泄物を受ける排泄物受容手段と、この排泄物受容手段の排出口から吸引された排泄物を収納する汚物タンクとが接続管によって接続された自動排泄物処理装置において、前記排泄物受容手段の排出口と対向する箇所に水洗手段を設け、この水洗手段から噴射される洗浄水を分散させるための洗浄水分散手段を備えているので、噴射される洗浄水の流れ方向が限定されず、排泄物の押し流しがほぼ完全となって排泄物受容手段内に排泄物の一部が残留する虞が生じない。
【００１１】
請求項２の発明によれば、請求項１の自動排泄物処理装置において、前記洗浄水分散手段は、排泄物受容手段の底部の内側に設けられた排泄物受け部の周囲を略半円弧状に取り囲むように配設されているので、排泄物受け部の領域全体にわたって洗浄水を供給することができる。これにより、排泄受け部に溜まった排泄物を確実に押し流すことができる。
【００１２】
請求項３の発明によれば、請求項１又は請求項２の自動排泄物処理装置において、前記水洗手段は、排泄物受容手段に設けられた排泄物検出センサが排泄物を検出した時に洗浄水が供給されると共に、それ以外の時であっても定期的に洗浄水が供給されるので、排泄物が検出された時に洗浄水による洗浄が確実になされ、これに加えて定期的に洗浄水による洗浄がなされることから排泄物受け部を清潔に保持する時間を増大させることができる。
【発明を実施するための最良の形態】
【００１３】
次に、本発明に係る自動排泄物処理装置の一実施形態に付いて、添付図面を参照しながら説明する。図１は、本発明に係る自動排泄物処理装置を示す概略構成図であり、１は排泄物を受ける排泄物受容手段、２は排泄物を収納する汚物タンクであり、排泄物受容手段１と汚物タンク２とは第１の接続管３と第２の接続管４とにより接続するように構成してある。
【００１４】
上記排泄物受容手段１は、例えば軟質合成樹脂等の軟質材で略Ｕ字形に形成されたパッドから構成され、図示しないベッドに収容されている病人や怪我人、或いは寝たきり老人等の股部分を前後に包囲して密着可能に装着できるようにしてある。この排泄物受容手段１は、図２に示すように底部の内側に排泄物受け部１ａが設けられ、この排泄物受け部１ａの要所に排泄物検出センサ５が配設されており、排泄物受け部１ａは前方に傾斜して形成されて排出口６に連通している。又、排泄物受け部１ａにおける前記排出口６に対向する端部に水洗手段７が設けられ、この水洗手段７は排泄物受け部１ａに噴射される洗浄水を分散させるための洗浄水分散手段８を備えている。
【００１５】
図３は、上記水洗手段７の構成を示す概略分解図であり、ほぼ中央部の左右に位置させて洗浄ノズル孔９が対設され、この洗浄ノズル孔９の左右に位置させて長孔状の通水口１０が対設され、更に２つの洗浄ノズル孔９の間、洗浄ノズル孔９と通水口１０との間、及び２つの通水口１０の側方に位置させて計４つの取付孔１１を設けてある。又、水洗手段７を設けた排泄物受け部１ａの端部は、外形が略半円弧状に形成されその上縁から底面にかけては緩やかに湾曲する凹面１ｂに形成されている。
【００１６】
前記洗浄水分散手段８は、例えば図２に示すように合成樹脂等でほぼ半円弧状に形成された部材から構成され、上板片８ａと、この上板片８ａの外周縁に沿って連設されている側板片８ｂと、上板片８ａの下面に間隔をあけて突設されている４つの突起８ｃとを備え、これ等の突起８ｃは前記水洗手段７の４つの取付孔１１に対応している。この洗浄水分散手段８は、前記突起８ｃを水洗手段７の取付孔１１にそれぞれ嵌め合せることで着脱可能に取り付ける。これにより、洗浄水分散手段８は、排泄物受け部１ａの周囲を略半円弧状に取り囲むように配設され、且つ水洗手段７の若干前方に臨んで位置し、前記側板片８ｂと排泄物受け部１ａの凹面１ｂとの間には隙間が生じるようにしてある。
【００１７】
又、洗浄手段７が設けられている排泄物受け部１ａの端部の下面側には、略半円弧状の導水管１２が設けられ、この導水管１２の先端部１２ａは閉塞されており、基端部には接続口１２ｂが設けられている。更に、排泄物受け部１ａの下面側には送水管１３が配設され、この送水管１３の先端部は導水管１２の接続口１２ｂに接続され、基端部は後記の排泄物受容手段１におけるコネクタ１４の送水口１５に接続されている。これにより、送水管１３を介して導水管１２に洗浄水が導入されると、この洗浄水を洗浄手段７に供給することができる。尚、図２において１６は底部カバーであり、排泄物受容手段１の底部に取り付けられて導水管１２、送水管１３及び前記排泄物検出センサ５等を被覆する。
【００１８】
図１において、前記第１の接続管３は、排泄物受容手段１の排出口６に挿着する接続端部３ａを備えると共に、前記第２の接続管４の端部に挿着する接続端部３ｂを備えている。この第１の接続管３は、他の接続管例えば洗浄水供給管１７、温風供給管１８、及び前記排泄物検出センサ５と電気的に接続するための配線コード１９等と共に外管２０内に収納されている。温風供給管１８は、外管２０に兼ねさせることが可能である。
【００１９】
前記外管２０の一方の端部にはプラグ２１が設けられ、このプラグ２１の内側に前記第１の接続管３の接続端部３ａ、洗浄水供給管１７の接続端部１７ａ、温風供給管１８の接続端部１８ａ、配線コード１９の接続端子１９ａが間隔をあけてそれぞれ突出している。又、プラグ２１に対応させて前記排泄物受容手段１の前面下方部にはコネクタ１４が設けられており、このコネクタ１４は第１の接続管３の接続端部３ａと接続する前記排出口６、洗浄水供給管１７の接続端部１７ａと接続する送水口１５、温風供給管１８の接続端部１８ａと接続する送風口２２、配線コード１９の接続端子１９ａと電気的に接続する端子受け２３がそれぞれ対応して突出している。これにより、プラグ２１をコネクタ１４に嵌め合わせると上記各管の接続と電気的接続とが同時に行えるようにしてある。これと同様に、外管２０の他方の端部にはプラグ２４が設けられ、このプラグ２４を駆動ユニット２６側のコネクタ２５に嵌め合わせると各管の接続と電気的接続とが同時に行える。
【００２０】
図示は省略するが、前記駆動ユニット２６の内部には排泄物吸引手段、洗浄水供給手段、温風供給手段、制御装置等が配置されている。そして、駆動ユニット２６の上部には前記第２の接続管４が水平に保持して固定され、この第２の接続管４の他方の端部は前記汚物タンク２の接続口に挿入して接続されている。又、駆動ユニット２６の上部には通気管２７が第２の接続管４と平行に位置して固定され、この通気管２７の一方の端部は前記排泄物吸引手段に接続され、他方の端部は汚水タンク２の気液分離用セパレータ（図略）に接続されている。
【００２１】
更に、駆動ユニット２６の上部の両側部には直線状のガイドレール２８が水平に対設され、このガイドレール２８に沿って図１で左右方向に移動する移動枠２９が摺動自在に嵌合されている。そして、前記汚物タンク２は、上部に対設した張出片２ａを移動枠２９の上面に係止することにより吊持状態で保持されている。３０はロックハンドルであり、両側のレバーの先端部がそれぞれガイドレール２８の上面要所に取り付けられたブラケット３１にピンで枢支され、このピンを軸として回動可能に形成されている。前記両側のレバーにはそれぞれ略円弧状のロック片３０ａが設けられ、このロック片３０ａがそれぞれ移動枠２９に形成された長孔（図略）と、これに合致するようにしてガイドレール２８に形成された長孔（図略）とを貫通して嵌まり込んだ状態でロックされ、ロックハンドル３０を回動してロック片３０ａを双方の長孔から抜いた状態でロックが解除されるようにしてある。
【００２２】
このように構成された自動排泄物処理装置は、前記排泄部受容手段１における排泄物検出センサ５が排泄物を検出すると、その検出信号が駆動ユニット２６の制御装置に入力され、この制御装置から信号が出力されて洗浄水供給手段が作動し、洗浄水が洗浄水供給管１７を通って送水口１５から排泄物受容手段１に供給される。
【００２３】
前記送水口１５の先端部には噴射ノズル（図略）が取り付けられており、この噴射ノズルから洗浄水が噴射されて排泄物受容手段１を装着している人の局部や尻部を洗浄する。前記のように送水口１５には送水管１３が接続されているため、この送水管１３を介して導水管１２に洗浄水が導入される。そして、この導水管１２から水洗手段７に洗浄水が供給される。
【００２４】
水洗手段７に供給された洗浄水は、前記洗浄ノズル孔９から噴射されると共に、通水口１０から流出する。水洗手段７は前記洗浄水分散手段８を備えているため、洗浄ノズル孔９から噴射された洗浄水及び通水口１０から流出した洗浄水は、洗浄水分散手段８の下を通って排泄物受け部１ａの傾斜底面を、それぞれ前記排出口６に向けて勢い良く流下する。又、洗浄ノズル孔９から噴射された洗浄水の一部は、洗浄水分散手段８の側板片８ｂに当たって跳ね返されると共に、前記排泄物受容手段１の凹面１ｂに沿って洗浄ノズル孔９の左右方向に流れが分散され、洗浄水分散手段８の両端部を回りこんで排出口６に向けて勢い良く流下する。これにより、排泄物受け部１ａの領域全体にわたって洗浄水を供給することができ、排泄物受け部１ａに溜まった排泄物をほぼ完全に押し流すことができる。
【００２５】
一定時間経過後に洗浄水供給手段が停止し、制御装置から信号が出力されて排泄物吸引手段が作動し、排泄物受容手段１内の排泄物を局部や尻部を洗浄した汚水と共に排出口５から排出する。排出された汚物は、第１の接続管３を通って第２の接続管４内に流入し、この第２の接続管４から汚物タンク２内に収納される。排泄物吸引手段の停止後に、制御装置から信号が出力されて温風供給手段が作動し、温風が温風供給管１８を通って排泄物受容手段１に供給され、装着人の局部や尻部を乾かすと共に排泄物受容手段１内を乾燥させる。この温風供給手段は、一定時間作動した後停止する。
【００２６】
汚物タンク２内に多量の汚物が溜まったら、前記ロックハンドル３０を上向きに回転させてロックを解除し、移動枠２９をガイドレール２８に沿って図１で右方向に移動させ、汚物タンク２と前記第２の接続管４及び通気管２７との接続を離す。この後、汚物タンク２の上面に設けられている把手２ｂを起立させて手に持ち、汚物タンク２を持ち上げて移動枠２９から外す。この時、汚物タンク２に設けられているシャッタ部材３２がバネを介して回転し、第２の接続管４及び通気管２７との接続口をそれぞれ塞ぎ、汚物タンク２から悪臭が漏れ出ないようにしてある。移動枠２９から外した汚物タンク２は、例えばトイレまで運んでキャップ２ｃを外して汚物を排出する。
【００２７】
汚物排出後に、汚物タンク２を移動枠２０に上から落とし込んで張出片２ａを係止させることで移動枠２９に吊持状態で保持させる。この状態を保持して汚物タンク２を移動枠２９と共に図１で左方に移動すると、汚物タンク２の接続口に対する第２の接続管４及び通気管２７の接続が同時になされる。そして、前記ロックハンドル３０を回転させてロック片３０ａを、互いに合致している長孔（移動枠２９の長孔とガイドレール２８の長孔）に差し込めば汚物タンク２を接続状態にてロックすることができる。
【００２８】
上記実施形態では、水洗手段７は排泄物受容手段１に設けられた排泄物検出センサ５が排泄物を検出した時に洗浄水が供給されるように構成したが、それ以外の時であっても定期的に洗浄水が供給されるようにすることも可能である。このように構成すれば、排泄物受け部１ａを定期的に洗浄できることから、当該排泄物受け部１ａを清潔に保持する時間を増大させることができる。この定期的洗浄の場合も、洗浄後に温風を供給して排泄物受容手段１内を乾燥させることが好ましい。
【００２９】
又、定期的洗浄の度毎に装着人に対して同時に洗浄水が供給されると都合が悪いため、例えば前記送水口１５と送水管１３との接続部（分岐点）に電磁弁等の切換弁を設けるか、又は水洗手段７への洗浄水の供給ルートを別個に独立させて設ける等の対策手段を講じると良い。
【産業上の利用可能性】
【００３０】
本発明は、自力で歩けずにベッドに収容されている病人や怪我人、或いは寝たきり老人等が使用する自動排泄物処理装置に対して好適に利用することができる。
【図面の簡単な説明】
【００３１】
【図１】本発明に係る自動排泄物処理装置の一実施形態を示す概略全体構成図である。
【図２】本発明に係る自動排泄物処理装置の一実施形態における排泄物受容手段の排泄物受け部を示す概略斜視図である。
【図３】本発明に係る自動排泄物処理装置の一実施形態における排泄物受け部の水洗手段を示す概略斜視図である。
【図４】本発明に係る自動排泄物処理装置の一実施形態における排泄物受け部の水洗手段からの洗浄水流れ方向を示す説明図である。
【符号の説明】
【００３２】
１  排泄物受容手段
１ａ  排泄物受け部
２  汚物タンク
３  第１の接続管
４  第２の接続管
５  排泄物検出センサ
６  排出口
７  水洗手段
８  洗浄水分散手段
９  洗浄ノズル孔
１０  通水口
１１  取付孔
１２  導水管
１３  送水管
１４  コネクタ
１５  送水口
１６  底部カバー
１７  洗浄水供給管
【図１】
2007260289.tif 000003
【図２】
2007260289.tif 000004
【図３】
2007260289.tif 000005
【図４】
2007260289.tif 000006